(57)【要約】【課題】立体物に向けて斜めに紫外光を出射する構成で、紫外光を効率良く立体物に照射でき、かつ、斜めに出射するために紫外光が照射され難くなる領域にも紫外光を照射可能な照射装置を提供すること。【解決手段】照射装置は、照射器３１が立体物１２に向けて斜めに紫外光を出射する配置とされ、この照射器３１から出射されて立体物１２から外れる紫外光を、立体物１２の処理面内の相対的に光量が低い領域（領域α等）に反射させる反射部材５１を有している。【選択図】図４
2017024362.tif 000002
【特許請求の範囲】
【請求項１】
立体物の処理面に紫外光を照射する照射器を備える照射装置において、
前記照射器は、前記立体物に向けて斜めに紫外光を出射し、
前記立体物から外れる紫外光を、前記処理面内の相対的に光量が低い領域に反射させる反射部材を有していることを特徴とする照射装置。
【請求項２】
前記立体物は、間隔を空けて複数配置され、
前記反射部材は、前記立体物から外れる紫外光を、前記立体物の処理面のうち他の前記立体物と対向する面を含む領域に反射することを特徴とする請求項１に記載の照射装置。
【請求項３】
前記立体物は、前記照射器に近い側と、それよりも前記照射器から遠い側とに間隔を空けて配置され、
前記反射部材は、前記立体物から外れる紫外光を、前記照射器から遠い側に配置される前記立体物の処理面のうち、前記照射器に近い側に配置される他の前記立体物に対向する面を含む領域に反射することを特徴とする請求項２に記載の照射装置。
【請求項４】
前記反射部材は、前記立体物から外れる紫外光が入射する反射部を有し、
前記反射部は、前記照射器から離れるに従って前記照射器の光軸から離れる反射面を有することを特徴とする請求項１乃至３のいずれか一項に記載の照射装置。
【請求項５】
前記反射部材は、下側に開口した凹状断面で前記照射器から離れる方向に延在し、前記凹状断面の各内面が、前記照射器から離れるに従って前記照射器の光軸から離れる反射面を形成していることを特徴とする請求項１乃至４のいずれか一項に記載の照射装置。
【発明の詳細な説明】
【技術分野】
【０００１】
本発明は、立体物の処理面に紫外光を照射する照射装置に関する。
【背景技術】
【０００２】
照射装置には、紫外線硬化樹脂等を被着した立体物の処理面に紫外光を照射して硬化させる照射装置がある。この種の照射装置には、立体物の処理面となる立体物表面に全体的に同時に紫外光が照射されるように複数の紫外線照射器を配置した構成が開示されている（例えば、特許文献１参照）。
【先行技術文献】
【特許文献】
【０００３】
【特許文献１】特開平７−１２４９５９号公報
【発明の概要】
【発明が解決しようとする課題】
【０００４】
従来の構成は、立体物の処理面に紫外光を照射するために多数の照射器が必要になる。これに対し、照射器を、立体物に向けて斜めに紫外光を照射する配置にした場合、同じ照射器からの光を立体物の上面及び側面の両方に照射でき、照射器の数を低減し易くなる。
しかし、発明者等の検討によれば、立体物に向けて斜めに紫外光を照射する場合、立体物の上面等の特定の面が強く照射されて他の面の照射量が少なくなる。また、立体物に照射されない無駄な照射光が生じるデメリットも生じ易い。
【０００５】
そこで、本発明は、立体物に向けて斜めに紫外光を出射する構成で、紫外光を効率良く立体物に照射でき、かつ、斜めに出射するために紫外光が照射され難くなる領域にも紫外光を照射可能な照射装置を提供することを目的とする。
【課題を解決するための手段】
【０００６】
上記目的を達成するために、本発明は、立体物の処理面に紫外光を照射する照射器を備える照射装置において、前記照射器は、前記立体物に向けて斜めに紫外光を出射し、前記立体物から外れる紫外光を、前記処理面内の相対的に光量が低い領域に反射させる反射部材を有していることを特徴とする。
【０００７】
また本発明は、上記照射装置において、前記立体物は、間隔を空けて複数配置され、前記反射部材は、前記立体物から外れる紫外光を、前記立体物の処理面のうち他の前記立体物と対向する面を含む領域に反射することを特徴とする。
【０００８】
また本発明は、上記照射装置において、前記立体物は、前記照射器に近い側と、それよりも前記照射器から遠い側とに間隔を空けて配置され、前記反射部材は、前記立体物から外れる紫外光を、前記照射器から遠い側に配置される前記立体物の処理面のうち、前記照射器に近い側に配置される他の前記立体物に対向する面を含む領域に反射することを特徴とする。
【０００９】
また本発明は、上記照射装置において、前記反射部材は、前記立体物から外れる紫外光が入射する反射部を有し、前記反射部は、前記照射器から離れるに従って前記照射器の光軸から離れる反射面を有することを特徴とする。
【００１０】
また本発明は、上記照射装置において、前記反射部材は、下側に開口した凹状断面で前記照射器から離れる方向に延在し、前記凹状断面の各内面が、前記照射器から離れるに従って前記照射器の光軸から離れる反射面を形成していることを特徴とする。
【発明の効果】
【００１１】
本発明は、照射器は、立体物に向けて斜めに紫外光を出射し、立体物から外れる紫外光を、立体物の処理面内の相対的に光量が低い領域に反射させる反射部材を有しているので、立体物に向けて斜めに紫外光を出射する構成で、紫外光を効率良く立体物に照射でき、かつ、斜めに出射するために紫外光が照射され難くなる領域にも紫外光を照射可能になる。
【図面の簡単な説明】
【００１２】
【図１】本発明の実施形態に係る照射装置を上方から見た図である。
【図２】照射装置のステージを立体物と共に示す図であり、図２（Ａ）は斜視図、図２（Ｂ）は上方から見た図である。
【図３】照射装置を正面から見た図である。
【図４】照射器の光と立体物との関係を示した図であり、図４（Ａ）は照射器の傾きが図３と同一であり、図４（Ｂ）は図４（Ａ）よりも照射器を傾けた場合を示した図である。
【図５】反射部材を示す図であり、図５（Ａ）は斜視図、図５（Ｂ）は正面から見た図である。
【図６】反射部材を備える場合の照射器の光と立体物との関係を示した図である。
【図７】ステージの移動に伴う立体物の移動を時系列順に示した図である。
【図８】立体物の積算光量の比較結果を示した図である。
【図９】立体物の最大照度の比較結果を示した図である。
【図１０】第２比較例の照射装置を示す図であり、図１０（Ａ）は上方から見た図、図１０（Ｂ）は右側から見た図である。
【発明を実施するための形態】
【００１３】
以下、図面を参照して本発明の実施形態について説明する。
図１は本発明の実施形態に係る照射装置１１を上方から見た図である。
図１に示すように、この照射装置１１は、照射対象のワークである立体物１２が配置されるステージ２１と、このステージ２１に配置された立体物１２に向けて紫外光を出射する一対の照射器３１とを備え、立体物１２の処理面である表面に塗布された紫外線硬化剤を硬化させる光硬化装置として使用される。
ステージ２１は、進行方向Ｘに搬送される可動台であり、上面に複数の立体物１２が間隔を空けて載置される。このステージ２１は、進行方向Ｘに移動しながら回転方向Ｃに回転自在な回転台に形成されている。ステージ２１が進行方向Ｘへの移動及び回転方向Ｃへの回転を同時に行うので、一対の照射器３１からの紫外光をステージ２１上の立体物１２の各面に照射し易くなる。
【００１４】
以下の説明において、ステージ２１の進行方向Ｘを前方向、Ｙ方向を右方向のように各方向を適宜に表記する。これらの方向は設置時の各方向に対応しているが、設置状況に応じて方向が変わってもよい。
【００１５】
図２はステージ２１を立体物１２と共に示す図であり、図２（Ａ）は斜視図、図２（Ｂ）は上方から見た図である。
ステージ２１は、矩形形状に形成され、同一の立体物１２が前後、及び左右に間隔を空けて配置され、本実施形態では計８個の立体物１２が配置されている。各立体物１２には、紫外線硬化剤の塗料（いわゆるＵＶ塗料）が塗布され、紫外光が照射されることによって塗料が硬化する。本実施形態では立体物１２が直方体形状であり、少なくとも外部に露出する上面１２Ａ及び側面１２Ｂ全体に塗料が塗布されている。なお、立体物１２は直方体形状に限らず、他の立体形状でも良い。
【００１６】
図３は照射装置１１を正面（図１の紙面下側）から見た図である。
図１及び図３に示すように、一対の照射器３１は、ステージ２１の左右斜め上方にて左右に間隔を空けて配置され、ステージ２１上の立体物１２に向けて斜めに紫外光を出射する。各照射器３１は、この照射装置１１の左右中心を前後方向に延びる中心面ＬＣ（図１）を基準にした左右対称構造であり、ステージ２１の進行方向Ｘ（搬送方向）と平行方向に延在して上面視（図１参照）で互いに平行に配置されている。
【００１７】
各照射器３１は、前後方向（Ｘ方向に沿った方向）に延在する線状光源の一例たる１本の直管型ランプ３２と、この直管型ランプ３２からステージ２１側(＝立体物１２側)と反対側に出射された光をステージ２１側に反射する反射鏡ユニット３３と、直管型ランプ３２及び反射鏡ユニット３３を収容する略直方体のカバー部材３４（図１）とを備えている。なお、図３では、カバー部材３４を省略し、直管型ランプ３２と反射鏡ユニット３３とを周辺構成と共に示している。
【００１８】
直管型ランプ３２は、ランプ全周から紫外光を照射するランプであり、公知の紫外線ランプが適用される。カバー部材３４は、立体物１２に近い側に不図示の開口を有し、この開口を介して直管型ランプ３２の直接光及び反射光を外部に出射させる。
図３に示すように、各照射器３１は、ステージ２１に載置された立体物１２の上面１２Ａと側面１２Ｂとに紫外光（図３中、破線矢印で示す）が照射されるように斜めに傾けられている。なお、図３中、符号Ｌ１が各照射器３１の光軸を示しており、図３中、左側の照射器３１の光軸Ｌ１は、照射装置１１の正面視で右斜め下に延びる軸線とされ、右側の照射器３１の光軸Ｌ１は、照射装置１１の正面視で左斜め下に延びる軸線とされている。
【００１９】
図４は照射器３１の光（図４中、実線で示す）と立体物１２との関係を示した図であり、図４（Ａ）は照射器３１の傾きが図３と同一の場合を示し、図４（Ｂ）は図４（Ａ）よりも照射器３１を傾けた場合を示している。
図４（Ａ）及び図４（Ｂ）に示すように、照射器３１から立体物１２に向けて斜めに紫外光を照射した場合、一つの照射器３１からの光を立体物１２の向きが異なる複数の面（上面１２Ａ及び側面１２Ｂ）に照射できるメリットが得られるものの、各面の照射量にばらつきが生じ易い。
【００２０】
例えば、図４（Ａ）の場合、照射器３１に近い側とそれよりも照射器３１から遠い側とに立体物１２が並ぶので、照射器３１に近い側の立体物１２の影になる領域（図４中、符号αで示す領域）への照射が困難になる。この場合、照射器３１から離れた奥側の立体物１２のうち、照射器３１に近い側の立体物１２に対向する側面（図４（Ａ）に符号１２Ｂ１で示す側面）への照射量が相対的に少なくなる。
また、図４（Ａ）に符号βで示すように、照射器３１の光の一部が立体物１２に照射されず、無駄になる。
【００２１】
また、図４（Ｂ）では、図４（Ａ）よりも照射器３１をより下方に向けて傾けているので、図４（Ａ）と比べれば、照射器３１から離れた奥側の立体物１２のうち、照射器３１に近い側の立体物１２に対向する側面１２Ｂ１への照射量を増やすことができるものの、特に照射器３１に近い側の一部の領域（図４中、符号γで示す領域）の照射量が極端に多くなってしまい、照射器３１に近い側の立体物１２の領域γ内と領域γ外とで照射量が大きく相違する。
そこで、本実施形態の照射装置１１では、図４（Ａ）の領域β内の光である立体物１２から外れる紫外光を、立体物１２の処理面内の相対的に光量が低い領域に反射させる反射部材５１（図１、図３）を各照射器３１に設けている。なお、各反射部材５１は、同一部品であり、照射装置１１の左右の中心面ＬＣを基準にして対称に配置される以外は変わりがないので、以下、一方（左側）の反射部材５１を説明する。
【００２２】
図５は反射部材５１を示す図であり、図５（Ａ）は斜視図、図５（Ｂ）は正面（図１の紙面下側）から見た図である。なお、図５（Ｂ）では直管型ランプ３２及び反射鏡ユニット３３を二点鎖線で示している。また、図６は反射部材５１を備える場合の照射器３１の光と立体物１２との関係を示した図である。
図５（Ａ）、及び図５（Ｂ）に示すように、反射部材５１は、アルミニウム合金製の板材を折り曲げることによって、平板形状の第１反射部５２と、第１反射部５２の両側縁から同側に屈曲する一対の平板形状の第２反射部５３とを一体に備えている。
また、第２反射部５３は、先端側（図５中、右側）にいくに従って細くなる三角形状に形成されており、反射部材５１が照射器３１に連結されることによって、これら第２反射部５３の基端側及び第１反射部５２が照射器３１に連なる。
【００２３】
図５（Ａ）、図５（Ｂ）及び図６に示すように、反射部材５１は、下側（立体物１２側に相当）に開口する凹状断面で照射器３１から離れる方向に延在する凹状部材となっている。この反射部材５１の素材となるアルミニウム合金製の板材は光を反射するので、反射部材５１の凹状断面の各内面（第１及び第２反射部５２、５３の内面）が、図４（Ａ）の領域β内の光を反射させる第１反射面となる。
なお、反射部材５１はアルミニウム合金に限定されず、反射率、及び耐紫外光等の所定条件を満足する範囲で他の金属板や公知の反射素材を適用しても良い。
【００２４】
図５（Ｂ）に示すように、第１反射部５２は、照射装置１１を正面（図１の紙面下側）から見て（以下、照射装置１１の正面視と言う)、照射器３１の光軸Ｌ１に対し、角度θＡ（以下、傾斜角度θＡと言う）で傾斜する反射面を形成している。この傾斜角度θＡは、照射装置１１の正面視で、照射器３１から離れるに従って第１反射部５２を照射器３１の光軸Ｌ１から徐々に離す角度である。この傾斜角度θＡの調整により、第１反射部５２の内面に、図４（Ａ）に示す領域β内の光を入射させ、立体物１２の表面のうち相対的に光量が低い領域に向けて光を反射させることができる。
本構成では、図６に示すように、第１反射部５２は、図４（Ａ）に示す領域β内の光を、図４（Ａ）に示す領域αに相当する領域等へ反射し、領域α等の照射量を増加させることができる。
【００２５】
同図６に示すように、第１反射部５２は、図４（Ａ）に示す領域β内の光を、照射器３１に近い側の立体物１２のうち、照射器３１の直接光が相対的に多く照射される領域（図６中、領域γに相当）を避けた領域にも反射するとともに、照射器３１から遠い側の立体物１２側にも反射する。これにより、照射器３１に近い側の立体物１２の照射量を均等に揃え易くし、且つ、照射器３１から遠い側の立体物１２の照射量を向上させることが可能である。
また、図６に示す照射器３１の傾きは図４（Ａ）と同一であるので、図４（Ａ）と同様に、図４（Ｂ）に示した領域γの照射量が極端に多くなることは抑制され、且つ、第１反射部５２により立体物１２の領域γ近傍の照射量を増やすので、より立体物１２への照射量を均等化し易くなる。
【００２６】
また、第１反射部５２は、一対の照射器３１の中間位置（中心面ＬＣ（図３）に相当する位置）の近傍まで延在するので、他方の照射器３１に装着される他の反射部材５１の配置を妨げることなく、他方の照射器３１に近い側の立体物１２の照射量を向上させることができる。
【００２７】
第２反射部５３は、照射装置１１の正面視で照射器３１から遠い側の端部に頂点Ｐ１（図６）を有する三角板形状に形成されている。なお、この頂点Ｐ１は、第１反射部５２の先端と同一である。図１に示すように、一対の第２反射部５３は、照射装置１１の上面視で、照射器３１の光軸Ｌ１に対し、角度θＢ（以下、傾斜角度θＢと言う）で傾斜する反射面を形成する。この傾斜角度θＢは、照射装置１１の上面視で、照射器３１から離れるに従って第２反射部５３を照射器３１の光軸Ｌ１から徐々に離す角度であり、図４（Ａ）に示す領域β内の光を入射し、立体物１２の表面のうち相対的に光量が低い領域に向けて反射させる角度に設定されている。
【００２８】
この第２反射部５３は、図４（Ａ）に示す領域β内の光であって、第２反射部５３に入射した光を、図４（Ａ）に示す領域αに相当する領域へ反射させ、また、照射器３１の直接光が照射される領域（図６中、領域γに相当）を避けた領域にも反射させ、さらに、照射器３１から遠い側の立体物１２側にも反射させる。
つまり、第１反射部５２は、照射装置１１の正面視で立体物１２から外れる光を入射して立体物１２に向けて反射させることで、立体物１２の照射量を増やすとともに立体物１２の照射量の均等化を図っている。また、第２反射部５３は、照射装置１１の上面視で立体物１２から外れる光を入射して立体物１２に向けて反射させることで、立体物１２の照射量を増やすとともに立体物１２の照射量の均等化を図っている。
これらにより、図４（Ａ）に示す領域β内の光を効率良く利用して、立体物１２の照射量を増やすとともに立体物１２の照射量の均等化を図ることができる。
【００２９】
また、第１反射部５２は前後方向に延びる反射面を形成し、第２反射部５３は上下方向に延びる反射面を形成しているので、第２反射部５３の方が、第１反射部５２と比べて立体物１２の側面１２Ｂに向かう光を出射し易くなる。
本構成では、第１反射部５２によって、立体物１２の特に上面１２Ａの照射量の増大及び均等化を図ることが可能であり、第２反射部５２によって立体物１２の特に側面１２Ｂの照射量の増大及び均等化を図ることが可能である。
【００３０】
図７はステージ２１の移動に伴う立体物１２の移動を時系列順に示した図である。なお、図７（Ａ）、図７（Ｂ）、図７（Ｃ）、図７（Ｄ）の順でステージ２１が移動している。
上述したように、ステージ２１は進行方向Ｘに移動しながら回転方向Ｃに回転するので、ステージ２１に配置された各立体物１２は、一対の照射器３１間で回転方向Ｃに回転する。この照射装置１１では、ステージ２１が一対の照射器３１間で少なくとも一回転以上、回転しており、これにより、各立体物１２の側面１２Ｂを構成する全ての面（図４中の立体物１２Ｘの場合、符号１２Ｂ１、１２Ｂ２、１２Ｂ３、１２Ｂ４を付して示す面）を、各照射器３１に向けることができる。従って、照射器３１の光を立体物１２の側面１２Ｂ全体に照射し易くなる。なお、照射器３１の光は各立体物１２の上面１２Ａにも照射されるので、立体物１２の処理面を構成する各面（上面１２Ａ及び側面１２Ｂ）に向けて紫外光を照射可能である。
【００３１】
このようにして、照射装置１１は、各照射器３１から出射されて各立体物１２から外れる紫外光を、各立体物１２の相対的に光量が低い領域に反射させる反射部材５１を備えるとともに、照射器３１間で立体物１２を回転させるステージ２１を備えるので、ステージ２１により各立体物１２の上面１２Ａ及び側面１２Ｂに向けて紫外光を照射可能にしながら、反射部材５１により隣の立体物１２の影になる領域を含む相対的に光量が低い領域に紫外光を振り分けることができる。
この結果、この照射装置１１は、照射量を効率良く増大できるとともに、立体物１２の処理面を構成する各面の積算光量の差、及び最大照度の差を抑制することができる。
【００３２】
続いて、この照射装置１１の実施例（本実施例）と比較例との比較結果を説明する。
図８は立体物１２の積算光量の比較結果を示した図である。また、図９は立体物１２の最大照度の比較結果を示した図である。
これらの図の横軸は、立体物１２の面を特定する面番号を示し、これら面番号は、図２に符号１〜１０で示した面の番号と一致している。縦軸は、本実施例の照射装置１１から反射部材５１を除いた第１比較例の最大値を１００％とした場合の相対値を示している。比較例は、第１比較例に加えて、以下に説明する第２比較例とした。
【００３３】
図１０は第２比較例の照射装置１１を示す図であり、図１０（Ａ）は上方から見た図、図１０（Ｂ）は右側から見た図である。
第２比較例の照射装置１１は、一対の照射器３１の配置及び傾きが第１比較例と異なり、また、反射部材５１を備えていない。第２比較例の照射装置１１では、一対の照射器３１がステージ２１の進行方向Ｘに間隔を空けて平行に配置され、各照射器３１が、各照射器３１の下方を通る立体物１２に向けてより下方向きの斜めに紫外光を照射可能に図１０（Ｂ）の側面視で逆ハの字の姿勢に傾けられている。なお、第１比較例及び第２比較例のいずれもステージ２１の動きは本実施例のステージ２１と同じである。
【００３４】
まず、図８に示すように、本実施例が、第１、及び第２比較例と比べて積算光量が増大していることは明らかである。また、図８に示すように、積算光量の最大値と最小値の差については、本実施例が約５５％（＝１１０％（面番号５）−５５％（面番号３））、第１比較例が約６５％（＝１００％（面番号５）−３５％（面番号３））、第２比較例が約６５％（＝１００％（面番号５）−３５％（面番号１、２））であり、本実施例が最も積算光量のばらつきを小さくすることができた。
【００３５】
また、図９に示すように、最大照度の最大値と最小値の差については、本実施例が約３０％（＝５０％（面番号５）−２２％（面番号３））、第１比較例が約４５％（＝６２％（面番号５）−１８％（面番号３））、第２比較例が約６０％（＝９８％（面番号５）−３５％（面番号３、４、６））であり、最大照度のばらつきについても本実施例が最もばらつきを小さくすることができた。
立体物１２への照射量のばらつきである照射ムラが少ないほど、立体物１２に塗布された紫外線硬化剤の硬化のばらつき（いわゆる硬化ムラ）が小さくなり、品質が向上する。
従って、本実施例が最も照度ムラを抑制でき、硬化ムラを最も抑制でき、品質向上に有利である。
【００３６】
以上説明したように、本実施形態に係る照射装置１１は、照射器３１が立体物１２に向けて斜めに紫外光を出射し、この照射器３１から出射されて立体物１２から外れる紫外光を、立体物１２の処理面内の相対的に光量が低い領域（領域α等）に反射させる反射部材５１を有するので、紫外光を効率良く立体物１２に照射でき、かつ、立体物１２に向けて斜めに出射するために紫外光が照射され難くなる領域にも紫外光を照射可能になる。従って、照射量を増やすと共に照度ムラを抑制でき、紫外光による硬化時間の高速化、及び硬化ムラの抑制が可能である。
【００３７】
また、立体物１２は、間隔を空けて複数配置され、反射部材５１は、立体物１２から外れる紫外光を、立体物１２の処理面のうち他の立体物１２と対向する面（側面１２Ｂ１等）を含む領域αに紫外光を反射するので、紫外光が照射され難くなる他の立体物１２と対向する面に、効率良く紫外光を照射できる。
しかも、立体物１２は、照射器３１に近い側と、それよりも照射器３１から遠い側とに間隔を空けて配置され、反射部材５１は、立体物１２から外れる紫外光を、照射器３１から遠い側に配置される立体物１２の処理面のうち、照射器３１に近い側に配置される他の前記立体物１２に対向する面（側面１２Ｂ１）を含む領域αに反射するので、照射器３１に近い側に配置される他の立体物１２の影になり易い領域に紫外光を照射できる。
【００３８】
さらに、反射部材５１は、立体物１２から外れる紫外光が入射する第１及び第２反射部５２、５３を有し、第１及び第２反射部５２、５３は、照射器３１から離れるに従って照射器３１の光軸Ｌ１から離れる反射面を有するので、簡易な構成で、立体物１２から外れる紫外光を照射器３１から離れた側に反射させ、離れた箇所に存在する相対的に光量が低い領域に紫外光を照射し易くなる。また、反射面を形成する第１及び第２反射部５２、５３の傾斜角度θＡ、θＢを調整すれば、紫外光の照射領域を容易に調整でき、照射器３１や立体物１２に合わせた設計変更も容易である。
【００３９】
しかも、反射部材５１は、下側（立体物１２側に相当）に開口した凹状断面で照射器３１から離れる方向に延在し、凹状断面の各内面が、照射器３１から離れるに従って照射器３１の光軸Ｌ１から離れる反射面を形成しているので、簡易な構成で、立体物１２から外れる紫外光を効率良く入射し、照射器３１から離れた箇所に存在する相対的に光量が低い領域に紫外光を照射し易くなる。また、反射部材５１を、光を反射可能な平板部材を折り曲げて製作でき、部品コスト削減に有利である。
【００４０】
上述した実施形態は、あくまでも本発明の一実施の態様であり、本発明の趣旨を逸脱しない範囲で任意に変形、及び応用が可能である。
例えば、上述した実施形態では、反射部材５１が第１反射部５２及び一対の第２反射部５３を有する場合を説明したが、第１反射部５２及び一対の第２反射部５３のいずれかを省略しても良い。例えば、立体物１２の数、位置及び形状等に応じて、第１反射部５２だけで照射量を十分に得、且つ、照射ムラを十分に抑制可能であれば、第２反射部５３を省略しても良い。また、第１反射部５２及び第２反射部５３の形状は上記の平板形状に限らず、立体物１２から外れる紫外光を立体物１２の処理面内の相対的に光量が低い領域に反射させることが可能な範囲で、様々な形状に変更しても良い。
【００４１】
照射器３１の光源には、放電ランプ、或いはＬＥＤ等の紫外光を照射可能な光源を広く適用可能であり、線状光源以外を適用しても良い。照射器３１の構成についても、公知の照射器の構成を広く適用可能であり、照射器３１の数も２個に限らず、１個又は３個以上でも良い。また、照射器３１の配置も立体物１２に向けて斜めに紫外光を照射可能な範囲で適宜に変更しても良い。
【００４２】
また、立体物１２の数や配置も上記実施形態に限定されず、例えば、より多数の立体物１２をステージ２１に配置した場合、或いは、ステージ２１に複雑な三次元形状の立体物１２を配置した場合に、反射部材５１を用いて紫外光を効率良く立体物１２に照射し、且つ、照射ムラを効果的に抑制しても良い。
また、上述した実施形態では、照射装置１１を光硬化装置に使用する場合を説明したが、これに限らず、照射量の増大、及び照射ムラの抑制等が望まれる様々な用途の照射装置に本発明を広く適用可能である。
【符号の説明】
【００４３】
１１  照明器具
１２  立体物
１２Ａ  上面（処理面）
１２Ｂ、１２Ｂ１  側面（処理面）
２１  ステージ
３１  照射器
５１  反射部材
５２  第１反射部（反射面）
５３  第２反射部（反射面）
【図１】
2017024362.tif 000003
【図２】
2017024362.tif 000004
【図３】
2017024362.tif 000005
【図４】
2017024362.tif 000006
【図５】
2017024362.tif 000007
【図６】
2017024362.tif 000008
【図７】
2017024362.tif 000009
【図８】
2017024362.tif 000010
【図９】
2017024362.tif 000011
【図１０】
2017024362.tif 000012